(57)【特許請求の範囲】
【請求項１】
紫外線によりインプラントの有機汚染物除去を行うためのインプラント用紫外線照射装置において、
前記インプラント用紫外線照射装置は、
筐体と、
該筐体の内部に配置された紫外線ランプと、
インプラントが保持されるインプラント保持体が載置されて、前記筺体内にインプラント保持体を搬出入するための引出し可能なキャリッジと、
を有するとともに、
前記筐体の壁には、該筺体内で紫外線センサの受光部へのケーブルが着脱可能に接続され、筺体外で紫外線センサの本体部へのケーブルが着脱可能に接続されるコネクタが設けられ、
該コネクタと前記紫外線ランプとの間には紫外線を遮蔽する隔壁が設けられている、
ことを特徴とするインプラント用紫外線照射装置。
【請求項２】
前記隔壁は、前記筺体内を紫外線ランプが収納される処理室と、オゾン除去手段が配置されるオゾン処理室とに区画していて、前記コネクタは前記オゾン処理室側に配置されていることを特徴とする請求項１に記載のインプラント用紫外線照射装置。
【請求項３】
前記キャリッジには、前記紫外線センサの受光部を位置決めする位置決め手段が設けられていることを特徴とする請求項１に記載のインプラント用紫外線照射装置。
【発明の詳細な説明】
【技術分野】
【０００１】
この発明は、インプラントに紫外線を照射してその有機汚染物除去を行うインプラント用紫外線照射装置に関するものであり、特に、紫外線ランプを利用してデンタルインプラントの有機汚染物除去を行うインプラント用紫外線照射装置に係わるものである。
【背景技術】
【０００２】
インプラント、特にデンタルインプラントは失われた歯の機能を代用させることを目的として顎骨に埋め込まれるものであり、そのデンタルインプラント手術においては、デンタルインプラントが十分に骨と結合（オッセオインテグレーション）することが肝要である。そのために、例えば、特許第３０７２３０３号公報（特許文献１）の段落０００９には、デンタルインプラントに紫外線を照射することによって、当該デンタルインプラントに付着した有機汚染物を除去することが提案されている。
しかしながら、この先行文献においては単にアイディアとしての記述がなされているだけであり、これを実現した具体的な装置構造まで提案されているわけではない。
【０００３】
特に、インプラントの洗浄のための紫外線ランプが点灯時間の経過によって照度が低下するようなことがあると、インプラントを十分に紫外線処理することができないので、この紫外線ランプの照度をモニターする必要がある。
ところで、紫外線照射装置においては、紫外線の照射により装置内部にオゾンが発生し、該オゾンと紫外線によって被処理物の洗浄が行われるものであり、
するので、筺体は密閉状態にされて紫外線照射が行われる必要がある。
このような紫外線照射装置で、前記した紫外線ランプの照度モニターをする場合、その照度計（紫外線センサ）は、紫外線を受光して電気信号に変換する受光部と、該受光部から電機信号を本体部へ伝達するケーブルと、この電気信号を受け取って光量を表示したり、機器を操作したりする本体部を備えている。
【０００４】
当然、前記受光部は筺体内の紫外線ランプ近傍に配置しなければならず、一方で、本体部は、照度の確認や各種の操作のために筐体の外部に配置しなければならない。このため、密閉空間の境界において、受光部と本体部とを電気的に接続する必要がある。
このような照度計（紫外線センサ）をそのまま使用しようとすると、受光部は筺体内、本体部は筺体外となり、密閉筺体が密閉状態とならなくなるという事態になる。
また、照度計の受光部は紫外線を測定し続けると劣化するという観点から、常に筐体内に配置することは好ましくなく、不使用時には取り外しできる構造にする必要がある。取り外し可能にするには、密閉空間の内部に、受光部を取り外しできるコネクタを設けることになる。
しかしながら、コネクタには絶縁のために樹脂が使用されており、当該樹脂が処理室内の雰囲気に曝されると、劣化してコネクタの故障の原因となるという問題がある。
このように、筺体の密閉構造を確保しつつ、紫外線ランプの照度を安全にかつ確実にモニターするといった観点が考慮されたインプラント用紫外線照射装置が期待されているのが現状である。
【先行技術文献】
【特許文献】
【０００５】
【特許文献１】特許第３０７２３０３号公報
【発明の概要】
【発明が解決しようとする課題】
【０００６】
この発明が解決しようとする課題は、紫外線を放射する紫外線ランプを用いて人工歯根などのインプラントの有機汚染物を除去するためのインプラント用紫外線照射装置において、紫外線ランプの照度をモニターする際に、筺体の密閉構造を保持しつつ、モニターするたびに受光部を筺体内に挿入するようにしてその劣化を防止したインプラント用紫外線照射装置の構造を提供することである。
【課題を解決するための手段】
【０００７】
上記課題を解決するために、この発明に係るインプラント用紫外線照射装置は、筐体の内部に配置された紫外線ランプと、インプラントが保持されるインプラント保持体が載置されて、前記筺体内にインプラント保持体を搬出入するための引出し可能なキャリッジと、を有するとともに、前記筐体の壁には、該筺体内で紫外線センサの受光部へのケーブルが着脱可能に接続され、筺体外で紫外線センサの本体部へのケーブルが着脱可能に接続されるコネクタが設けられ、該コネクタと前記紫外線ランプとの間には紫外線を遮蔽する隔壁が設けられていることを特徴とする。
また、前記隔壁は、前記筺体内を紫外線ランプが収納される処理室と、オゾン除去手段が配置されるオゾン処理室とに区画していて、前記コネクタは前記オゾン処理室側に配置されていることを特徴とする。
また、前記キャリッジには、前記紫外線センサの受光部を位置決めする位置決め手段が設けられていることを特徴とする。
【発明の効果】
【０００８】
本発明のインプラント用紫外線照射装置によれば、紫外線ランプの照度をモニターする際には、紫外線センサの受光部を筺体内に挿入して、そのケーブルの接続プラグをコネクタに接続すればよく、受光部を常に筺体内に設置しておく必要がないので、紫外線劣化が少なく、また、筺体の密閉状態を維持したまま紫外線のモニターができる。
また、コネクタは隔壁により紫外線ランプからの紫外線が遮断されているので、該コネクタの劣化も少なくて済む。
更には、インプラント保持体を搬出入するキャリッジに受光部を載置して筺体内に収納するので、その位置決めが容易である。
【図面の簡単な説明】
【０００９】
【図１】本発明のインプラント用紫外線照射装置の断面図。
【図２】図１の横断面図。
【図３】紫外線ランプの照度モニター時の断面図。
【図４】図３の横断面図。
【図５】キャリッジの受光部位置決め手段の説明図。
【図６】位置決め手段の他の形態。
【発明を実施するための形態】
【００１０】
図１および図２に本発明のインプラント用紫外線照射装置の概要が示されている。図１において、本発明のインプラント用紫外線照射装置は、密閉型の筐体１と、該筐体１に対して気密に開閉される扉２とを備えている。前記筐体１内は隔壁３によって処理室４とオゾン処理室５とに区画され、処理室４内には紫外線ランプ６が配設されている。
上記紫外線ランプ６は、例えば波長１８５〜２５４ｎｍの紫外線を放射する低圧水銀ランプであって、筐体１の奥行き方向に伸びる２つの直線状部分が湾曲部分によって連結されてなるＵ字管状の発光管６ａを有し、この２つの直線状部分が互いに上下に位置する関係で、直線状部分の長手方向が略水平方向となるように配置されていて、その一方端にはベース６ｂが取り付けられている。
図２に示されるように、該紫外線ランプ６処理室４内で対向するように一対配置されている。また、前記紫外線ランプ６を取り囲むように反射鏡７が筺体１に設けられている。
オゾン処理室５には、筐体１内のガスを循環させるファン８と、オゾン除去手段９が配置されている。オゾン除去手段９は、例えば、無機繊維ペーパーにより形成されたハニカム構造体からなる基体に、たとえば二酸化マンガンよりなるオゾン除去用触媒が担持されてなるオゾン除去フィルターである。
前記ファン８によって、処理室４内のオゾンを含むガスはオゾン処理室５に流れ、オゾン除去手段９によってオゾンを除去されて、再び処理室４に流れるように循環される。
【００１１】
筺体１に設けられる開閉扉２は、この実施例では引き出し型であって、この扉２と一体にキャリッジ１０が取り付けられており、該キャリッジ１０は筐体１に設けられたガイド１１よってガイドされて、扉２の開閉と連動して引き出し可能となっている。なお、図示されてはいないが、この扉２は筐体１に対してシーリング材によって気密に密閉される。
図３は、扉２と連動するキャリッジ１０上にインプラント保持体１２が載置された状態の説明図であって、キャリッジ１０上にインプラント保持体１２を載置して扉２を閉めると、当該保持体１２に支持されたデンタルインプラント１３が、上記一対の紫外線ランプ６、６間に位置し、かつ該インプラント１３が前記紫外線ランプ６の長さ方向の有効発光領域内に収まるように配置されている。
このインプラント保持体１２には複数の保持孔１２ａが所定間隔で形成されており、インプラント１３は、人体に埋め込まれる螺子部１３ａが上方を向くように、その端部１３ｂを該保持孔１２ａに挿入することによって支持される。
【００１２】
上記構成において、インプラントの洗浄処理は以下のように行われる。
扉２の解放状態で、インプラント１３が載置されたインプラント保持体１２が、キャリッジ１０上に載置固定される。そして、扉２を閉じることにより、筺体１は密閉され、このとき、図１に示すように、インプラント１３は紫外線ランプ６間に位置するようになる。
紫外線ランプ６を点灯すると、筺体１内にはオゾンが発生し、該オゾンと紫外線によりインプラント１３の洗浄が行なわれる。洗浄後、ランプ６を消灯し、その後ファンを駆動して処理室４内の雰囲気をオゾン処理室に循環し、この間にオゾン除去フィルター９によりオゾン除去処理が行われる。
このオゾン除去処理が終了したのち、扉２を開けてインプラント保持体１０を取り出し、インプラント１３を手術に供するものである。
【００１３】
しかして、本発明においては、筺体１の隔壁３の上方のオゾン処理室６側の側壁にコネクタ１５が壁を貫通し、かつ、気密状態で取り付けられている。
図４に示すように、紫外線センサ１６は、本体部１７と受光部１８とからなり、前記本体部１７には、表示部１７ａと操作部１７ｂとが設けられている。そして、前記本体部１７と受光部１８には、それぞれ、ケーブル１９とケーブル２０が接続されていて、これらのケーブル１９、２０は、それぞれコネクタ１５に着脱可能に接続される。即ち、本体部１７のケーブル１９は筺体１の外部から前記コネクタ１５に接続され、受光部１８のケーブル２０は筺体１の内部からコネクタ１５に接続される。
なお、図示していないが、各ケーブル１９、２０の先端には接続プラグが取り付けられていて、該接続プラグを介してコネクタ１５に接続される。
【００１４】
図５、図６には紫外線センサ１の受光部１６がキャリッジ１０上に載置された状態が示されている。
図５において、（Ａ）は上面図であり、（Ｂ）はその側面図である。同図において、キャリッジ１０には位置決め手段としてピン２２が立設されている。なお、図５（Ａ）においては、一方の位置決めピン２２は省略して記載されている。
受光部１８が載置固定される受光部載置台２３の両端には、前記位置決めピン２２に合致する凹部２４が形成されている。
受光部１８が載置された受光部載置台１８は、図５（Ｂ）の上方からキャリッジ１０上に載置される。このとき、位置決めピン２２と凹部２４とが係合することで位置決めされる。
【００１５】
図６には、受光部載置台２３の別の位置決め手段が示されていて、キャリッジ１０に位置決め凹部２５が形成され、受光部載置台２３はこの凹部２５内に収容されるようにキャリッジ１０上に載置される。
なお、位置決め手段に関しては、これらの他に種々の変形が可能である。
【００１６】
紫外線ランプ６の照度モニターに当たっては、扉２を開放してキャリッジ１０上に受光部載置台２３を載置し、その上に受光部１８を載置する。
そして、受光部１８のケーブル２０をコネクタ１５に接続する。
この状態で扉２を閉めて、筺体１を密閉する。
一方、紫外線センサ１６の本体部１７のケーブル１９を筺体１の外部からコネクタ１５に接続する。
この状態で、紫外線ランプ６を点灯させてその照度を測定するものである。
【００１７】
なお、上記説明においては、キャリッジ１０は開閉扉２と一体化したものを説明したが、これとは別体であってもよく、その場合、扉２は、キャリッジ１０のガイド１１とは別のガイド機構によって引き出し・収納可能に設けられる。
また、筐体１に対する開閉扉２としては、上記引き出し型の扉以外に、蝶番によるスイング式の回動扉であってもよく、その場合も、インプラント保持体１２を載置するキャリッジ１０は、扉２の開閉とは別に引き出し可能としてもよいし、扉２の回動に連動して水平状態を保って進退するようにしてもよい。
【００１８】
以上説明したように、本発明のインプラント用紫外線照射装置では、筺体の内部に紫外線ランプを有し、インプラント保持体を筺体内に搬出入するキャリッジを有し、前記筐体の壁に、該筺体内で紫外線センサの受光部へのケーブルが着脱可能に接続され、筺体外で紫外線センサの本体部へのケーブルが着脱可能に接続されるコネクタが設けられ、該コネクタと前記紫外線ランプとの間には紫外線を遮蔽する隔壁が設けられていることにより、紫外線ランプの照度モニターを行うときに、受光部を筺体内に収容すればよいので、紫外線による劣化の影響が少なくて済む。
その際には、コネクタには、筺体内部から受光部のケーブルと筺体外部から本体部のケーブルを接続するので、筺体の機密状態を保ったままでモニターすることができる。
また、コネクタは隔壁によって紫外線ランプからの紫外線を遮断されるので、紫外線ダメージを回避できる。
また、受光部の筺体内での設置には、インプラント保持体を搬出入するキャリッジを利用することで、簡便にその位置決めができる。
【符号の説明】
【００１９】
１      筐体
２      扉
３      隔壁
４      処理室
５      オゾン処理室
６      紫外線ランプ
７      反射鏡
８      ファン
９      オゾン除去手段
１０    キャリッジ
１１    ガイド
１２    インプラント保持体
１３    インプラント
１５    コネクタ
１６    紫外線センサ
１７    本体部
１８    受光部
１９    ケーブル
２０    ケーブル
２２    受光部載置台
２３    凹部
２４    位置決めピン
２５    位置決め凹部
【図１】
0005299451.tif 000002
【図２】
0005299451.tif 000003
【図３】
0005299451.tif 000004
【図４】
0005299451.tif 000005
【図５】
0005299451.tif 000006
【図６】
0005299451.tif 000007